【手続補正書】
【提出日】平成17年10月20日(2005.10.20)
【手続補正１】
【補正対象書類名】明細書
【補正対象項目名】発明の名称
【補正方法】変更
【補正の内容】
【発明の名称】画像処理装置、画像処理装置の制御方法、記憶媒体
【手続補正２】
【補正対象書類名】明細書
【補正対象項目名】特許請求の範囲
【補正方法】変更
【補正の内容】
【特許請求の範囲】
【請求項１】  画像形成手段により本文用の画像の像形成がなされた本文用の複数枚のシートで構成される本文用のシート束を背表紙部分を基準にカバー可能な表紙用の１枚のシートの為に画像処理を実行可能な画像処理装置であって、
前記画像形成手段により本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる、制御手段を有し、
前記制御手段は、
前記表紙用の１枚のシートの同一面上に表表紙用の画像と裏表紙用の画像を前記画像処理装置により配置させる場合に、前記画像形成手段により前記本文用の画像の像形成がなされる前に前記画像処理装置が具備する操作手段を介してユーザよる背表紙幅のサイズの入力を要することなく、該表紙用の１枚のシートによりカバーされる前記複数枚のシートで構成される前記本文用のシート束の1束分の厚さに応じたサイズの背表紙幅を具備した該表紙用の１枚のシートの同一面上における背表紙領域を挟んで、該表表紙用の画像と該裏表紙用の画像を、該表紙用の１枚のシートの同一面上に、前記画像処理装置により、配置させる、ことを特徴とする画像処理装置。
【請求項２】  画像形成手段により本文用の画像の像形成がなされた本文用の複数枚のシートで構成される本文用のシート束を背表紙部分を基準にカバー可能な表紙用の１枚のシートの為に画像処理を実行可能な画像処理装置の制御方法であって、
前記画像形成手段により本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる場合に、前記画像形成手段により前記本文用の画像の像形成がなされる前に前記画像処理装置が具備する操作手段を介してユーザよる背表紙幅のサイズの入力を要することなく、該表紙用の１枚のシートによりカバーされる前記複数枚のシートで構成される前記本文用のシート束の1束分の厚さに応じたサイズの背表紙幅を具備した該表紙用の１枚のシートの同一面上における背表紙領域を挟んで、該表表紙用の画像と該裏表紙用の画像を、該表紙用の１枚のシートの同一面上に、前記画像処理装置により、配置させる、ことを特徴とする制御方法。
【請求項３】  前記表紙用の１枚のシートの同一面上に表表紙用の画像と裏表紙用の画像を前記画像処理装置により配置させる場合に、前記画像処理装置が具備する前記画像形成手段により画像形成すべき前記本文用のシートの厚みに関するデータを取得する取得手段により取得した該データに基づいたサイズの背表紙幅を具備した該表紙用の１枚のシートの同一面上における背表紙領域を挟んで、該表表紙用の画像と該裏表紙用の画像を、該表紙用の１枚のシートの同一面上に、前記画像処理装置により、配置可能にする、ことを特徴とする請求項２記載の制御方法。
【請求項４】  前記表紙用の１枚のシートの同一面上に表表紙用の画像と裏表紙用の画像を前記画像処理装置により配置させる場合に、前記画像処理装置が具備する前記画像形成手段により画像形成すべき前記本文用のシートの厚みを前記本文用のシート束の１束分積算することで背表紙幅を計算する取得手段により取得された前記背表紙幅だけ前記表表紙用の画像と前記裏表紙用の画像とを隔離配置させる、ことを特徴とする請求項２又は３に記載の制御方法。
【請求項５】  前記表紙用の１枚のシートの同一面上に表表紙用の画像と裏表紙用の画像を前記画像処理装置により配置させる場合に、前記背表紙幅分の間隔を空けて該表表紙用の画像と該裏表紙用の画像とを該表紙用の１枚のシートの同一面上にて離間配置させる為の画像データを、前記画像処理装置が具備する原稿読取手段により読み取られた前記表表紙用の画像データと前記裏表紙用の画像データの２つの画像データを記憶可能な前記画像処理装置が具備する記憶手段にて生成させる、ことを特徴とする請求項２〜４の何れかに記載の制御方法。
【請求項６】  前記記憶手段により生成された前記表表紙用の画像データと前記裏表紙用の画像データの２つの画像データが前記背表紙幅だけ隔離配置された前記画像データに基づいた画像を、前記画像処理装置が具備する前記画像形成手段により、前記表紙用の１枚のシートに対して像形成させる、ことを特徴とする請求項５記載の制御方法。
【請求項７】  前記原稿読取手段により読み取った画像を主走査方向に第１の所定数画素および副走査方向に第２の所定数画素の画素ブロック毎に分割し、該等分割される各画素ブロック毎に画像を符号化，復号化することを特徴とする請求項５又は６記載の制御方法。
【請求項８】  前記背表紙幅分の間隔を空けて該表表紙用の画像と該裏表紙用の画像とを該表紙用の１枚のシートの同一面上にて配置させる為の画像データを前記記憶手段で生成する際に、前記記憶手段の主走査方向アドレス、及び、前記記憶手段の副走査方向アドレスの、何れかを指定制御する、ことを特徴とする請求項５〜７の何れかに記載の制御方法。
【請求項９】  前記背表紙幅分の間隔を空けて該表表紙用の画像と該裏表紙用の画像とを該表紙用の１枚のシートの同一面上にて配置させる為の画像データを前記記憶手段で生成する際に、前記記憶手段への画像書き込み時に主走査方向アドレスを指定制御するか、前記記憶手段からの画像読み出し時に主走査方向アドレスを指定制御する、ことを特徴とする請求項項５〜８の何れかに記載の制御方法。
【請求項１０】  前記背表紙幅分の間隔を空けて該表表紙用の画像と該裏表紙用の画像とを該表紙用の１枚のシートの同一面上にて配置させる為の画像データを前記記憶手段で生成する際に、前記記憶手段への画像書き込み時に副走査方向アドレスを指定制御するか、前記記憶手段からの画像読み出し時に副走査方向アドレスを指定制御する、ことを特徴とする請求項５〜９の何れかに記載の制御方法。
【請求項１１】  前記表紙用の１枚のシートの同一面上に表表紙用の画像と裏表紙用の画像を前記画像処理装置により配置させる場合に、前記画像処理装置が具備する原稿読取手段により読み取られた前記表表紙用の画像データと前記裏表紙用の画像データの２つの画像データの少なくとも何れかの画像サイズを検知する、ことを特徴とする請求項２〜１０の何れかに記載の制御方法。
【請求項１２】  前記画像処理装置は、コピー機能およびプリント機能及びファクシミリ機能の何れかを備える複合機であることを特徴とする請求項２〜１１の何れかに記載の制御方法。
【請求項１３】  請求項２〜１２の何れかに記載の制御方法をコンピュータに実行させる為のプログラムを記憶したことを特徴とするコンピュータ読取可能な記憶媒体。
【手続補正３】
【補正対象書類名】明細書
【補正対象項目名】０００１
【補正方法】変更
【補正の内容】
【０００１】
【発明の属する技術分野】
本発明は、画像形成手段により本文用の画像の像形成がなされた本文用の複数枚のシートで構成される本文用のシート束を背表紙部分を基準にカバー可能な表紙用の１枚のシートの為に画像処理を実行可能な画像処理装置の制御に関するものである。
【手続補正４】
【補正対象書類名】明細書
【補正対象項目名】０００４
【補正方法】変更
【補正の内容】
【０００４】
本発明は、上記の問題点を解決するためになされたもので、本発明の目的は、画像形成手段により本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、画像処理装置により、配置させる場合に、本文用の複数枚のシートに本文用の画像の像形成を行う前に予めユーザが背表紙幅を入力することなく本文の厚みに適した正確な背表紙幅が確保された表紙を自動生成することができ、ユーザの操作負担を大幅に軽減できる仕組みを提供することである。
【手続補正５】
【補正対象書類名】明細書
【補正対象項目名】０００５
【補正方法】変更
【補正の内容】
【０００５】
【課題を解決するための手段】
本発明に係る画像処理装置は、以下の特徴的構成を備える。
画像形成手段により本文用の画像の像形成がなされた本文用の複数枚のシートで構成される本文用のシート束を背表紙部分を基準にカバー可能な表紙用の１枚のシートの為に画像処理を実行可能な画像処理装置であって、前記画像形成手段により本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる、制御手段を有し、前記制御手段は、前記表紙用の１枚のシートの同一面上に表表紙用の画像と裏表紙用の画像を前記画像処理装置により配置させる場合に、前記画像形成手段により前記本文用の画像の像形成がなされる前に前記画像処理装置が具備する操作手段を介してユーザよる背表紙幅のサイズの入力を要することなく、該表紙用の１枚のシートによりカバーされる前記複数枚のシートで構成される前記本文用のシート束の１束分の厚さに応じたサイズの背表紙幅を具備した該表紙用の１枚のシートの同一面上における背表紙領域を挟んで、該表表紙用の画像と該裏表紙用の画像を、該表紙用の１枚のシートの同一面上に、前記画像処理装置により、配置させる、ことを特徴とする。
【手続補正６】
【補正対象書類名】明細書
【補正対象項目名】０００６
【補正方法】変更
【補正の内容】
【０００６】
本発明に係る画像処理装置の制御方法は、以下の特徴的構成を備える。
画像形成手段により本文用の画像の像形成がなされた本文用の複数枚のシートで構成される本文用のシート束を背表紙部分を基準にカバー可能な表紙用の１枚のシートの為に画像処理を実行可能な画像処理装置の制御方法であって、前記画像形成手段により本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる場合に、前記画像形成手段により前記本文用の画像の像形成がなされる前に前記画像処理装置が具備する操作手段を介してユーザよる背表紙幅のサイズの入力を要することなく、該表紙用の１枚のシートによりカバーされる前記複数枚のシートで構成される前記本文用のシート束の1束分の厚さに応じたサイズの背表紙幅を具備した該表紙用の１枚のシートの同一面上における背表紙領域を挟んで、該表表紙用の画像と該裏表紙用の画像を、該表紙用の１枚のシートの同一面上に、前記画像処理装置により、配置させる、ことを特徴とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】０１３２
【補正方法】削除
【補正の内容】
【手続補正１９】
【補正対象書類名】明細書
【補正対象項目名】０１３３
【補正方法】削除
【補正の内容】
【手続補正２０】
【補正対象書類名】明細書
【補正対象項目名】０１３４
【補正方法】削除
【補正の内容】
【手続補正２１】
【補正対象書類名】明細書
【補正対象項目名】０１３５
【補正方法】削除
【補正の内容】
【手続補正２２】
【補正対象書類名】明細書
【補正対象項目名】０１３６
【補正方法】削除
【補正の内容】
【手続補正２３】
【補正対象書類名】明細書
【補正対象項目名】０１３７
【補正方法】削除
【補正の内容】
【手続補正２４】
【補正対象書類名】明細書
【補正対象項目名】０１３８
【補正方法】削除
【補正の内容】
【手続補正２５】
【補正対象書類名】明細書
【補正対象項目名】０１３９
【補正方法】削除
【補正の内容】
【手続補正２６】
【補正対象書類名】明細書
【補正対象項目名】０１４０
【補正方法】削除
【補正の内容】
【手続補正２７】
【補正対象書類名】明細書
【補正対象項目名】０１４１
【補正方法】削除
【補正の内容】
【手続補正２８】
【補正対象書類名】明細書
【補正対象項目名】０１４２
【補正方法】削除
【補正の内容】
【手続補正２９】
【補正対象書類名】明細書
【補正対象項目名】０１４３
【補正方法】削除
【補正の内容】
【手続補正３０】
【補正対象書類名】明細書
【補正対象項目名】０１４４
【補正方法】削除
【補正の内容】
【手続補正３１】
【補正対象書類名】明細書
【補正対象項目名】０１４５
【補正方法】変更
【補正の内容】
【０１４５】
【発明の効果】
以上説明したように、本発明によれば、請求項１，２記載の発明によれば、画像形成手段により本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、画像処理装置により、配置させる場合に、本文用の複数枚のシートに本文用の画像の像形成を行う前に予めユーザが背表紙幅を入力することなく本文の厚みに適した正確な背表紙幅が確保された表紙を自動生成することができ、ユーザの操作負担を大幅に軽減できる等の効果を奏する。